(57)【要約】アプリケーションＡとアプリケーションＢの間にインタラクションバリアが存在する時、アプリケーションＢに対応するジャンプリンクがアプリケーションＡのページに存在する場合、アプリケーションＡのページで選択操作と複製操作を行うことによって、上記ジャンプリンクに含まれるコンテンツをシステムのクリップボード内に複製する。さらに、ユーザがアプリケーションＢを開始すると、クリップボードコンテンツに対して抽出、分析を行う操作を実行して、ジャンプリンクを取得し、対応するアクセストリガコントロールを生成する。アクセストリガコントロールは、クイックアクセスポータルとして機能し、ユーザが、前記アクセストリガコントロールをクリックするだけで、表示ページからアプリケーションＢの目的のページにジャンプする。従って、アクセス効率が確保され、ユーザは、目的のページの関連する機能を体験するのを保証される。
2018517206.tif 000002
【特許請求の範囲】
【請求項１】
システムのクリップボードコンテンツを読み取ることと、
プリセットフォーマットに従って、ジャンプリンクが前記クリップボードコンテンツに存在すると判断することと、
フォアグラウンドで実行するアプリケーションに対応するプリセットのドメイン名規則を前記ジャンプリンクが満足させると判断することと、
前記ジャンプリンクに従って、アクセストリガコントロールを生成、表示することと、
を含む、方法。
【請求項２】
前記アクセストリガコントロールがトリガされたと判断した後、前記アプリケーションをトリガして前記ジャンプリンクに対応するページをロードすることをさらに含む、請求項１に記載の方法。
【請求項３】
前記アクセストリガコントロールがトリガされたという前記判断は、前記アクセストリガコントロールがクリックされたと判断することを含む、請求項２に記載の方法。
【請求項４】
前記アクセストリガコントロールが表示された後、前記アプリケーションの前記ジャンプリンクの処理回数を更新することをさらに含む、請求項１に記載の方法。
【請求項５】
前記プリセットフォーマットに従って前記ジャンプリンクが前記クリップボードコンテンツに存在するという前記判断は、前記アプリケーションの前記ジャンプリンクの前記処理回数が、プリセットの処理回数より少ないと判断することを含む、請求項４に記載の方法。
【請求項６】
前記ジャンプリンクに従った前記アクセストリガコントロールの前記生成、表示は、前記アプリケーションの前記ジャンプリンクの前記処理回数がプリセットの処理回数より少ないと判断することを含む、請求項４に記載の方法。
【請求項７】
前記アクセストリガコントロールの前記生成、表示は、
表示されたアクセストリガコントロールが存在すると判断することと、
前記表示されたアクセストリガコントロールに関連付けられたリンクを前記ジャンプリンクとして修正して、前記ジャンプリンクに対応する前記アクセストリガコントロールを取得することと、
を含む、請求項１に記載の方法。
【請求項８】
前記アクセストリガコントロールの前記生成、表示は、
表示されたアクセストリガコントロールが存在しないと判断することと、
コントロールフォーマット規則を獲得することと、
前記コントロールフォーマット規則に従って、前記ジャンプリンクに対応する前記アクセストリガコントロールを生成することと、
を含む、請求項１に記載の方法。
【請求項９】
システムのクリップボードコンテンツを読み取るクリップボード読み取りユニットと、
プリセットフォーマットに従って、ジャンプリンクが前記クリップボードコンテンツに存在するか否かを判断するフォーマットフィルタユニットと、
前記ジャンプリンクが前記クリップボードコンテンツに存在すると前記フォーマットフィルタユニットが判断する時、フォアグラウンドで実行するアプリケーションに対応するプリセットのドメイン名規則を前記ジャンプリンクが満足させるか否かを判断するドメイン名フィルタユニットと、
前記ジャンプリンクが前記プリセットのドメイン名規則を満足させると前記ドメイン名フィルタユニットが判断する時、前記ジャンプリンクに従って、アクセストリガコントロールを生成、表示するトリガコントロール表示ユニットと、
を含む、モバイル端末。
【請求項１０】
前記アクセストリガコントロールがトリガされたと判断した後、前記トリガコントロール表示ユニットは、前記アプリケーションをさらにトリガして、前記ジャンプリンクに対応するページをロードする、請求項９に記載のモバイル端末。
【請求項１１】
前記トリガコントロール表示ユニットは、前記アクセストリガコントロールがクリックされたとさらに判断する、請求項１０に記載のモバイル端末。
【請求項１２】
前記トリガコントロール表示ユニットが、前記アクセストリガコントロールを生成、表示した後、前記アプリケーションの前記ジャンプリンクの前記処理回数を更新するカウンタユニットをさらに含む、請求項１０に記載のモバイル端末。
【請求項１３】
前記ジャンプリンクが前記クリップボードコンテンツに存在すると前記フォーマットフィルタユニットが判断する時、前記アプリケーションの前記ジャンプリンクの前記処理回数がプリセットの処理回数より少ないか否かを判断するジャンプ制限ユニットをさらに含む、請求項１２に記載のモバイル端末。
【請求項１４】
前記トリガコントロール表示ユニットは、前記ジャンプリンクが前記プリセットのドメイン名規則を満足させたと前記ドメイン名フィルタユニットが判断し、且つ、前記アプリケーションの前記ジャンプリンクの前記処理回数が前記プリセットの処理回数より少ないと前記ジャンプ制限ユニットが判断する時、前記ジャンプリンクに従って、前記アクセストリガコントロールを生成、表示する、請求項１３に記載のモバイル端末。
【請求項１５】
前記トリガコントロール表示ユニットは、さらに、
前記表示されたアクセストリガコントロールが存在すると判断し、且つ、
前記表示されたアクセストリガコントロールに関連付けられたリンクを前記ジャンプリンクとして修正して、前記ジャンプリンクに対応するアクセストリガコントロールを取得する、
請求項１０に記載のモバイル端末。
【請求項１６】
前記トリガコントロール表示ユニットは、さらに、
前記表示されたアクセストリガコントロールが存在しないと判断し、
コントロールフォーマット規則を獲得し、且つ、
前記コントロールフォーマット規則に従って、前記ジャンプリンクに対応する前記アクセストリガコントロールを生成する、
請求項１０に記載のモバイル端末。
【請求項１７】
コンピュータ実行可能命令を記憶する１つまたは複数のメモリであって、前記コンピュータ実行可能命令は、１つまたは複数のプロセッサによって実行可能で、前記１つまたは複数のプロセッサに、
システムのクリップボードコンテンツを読み取ることと、
プリセットフォーマットに従って、ジャンプリンクが前記クリップボードコンテンツに存在すると判断することと、
フォアグラウンドで実行するアプリケーションに対応するプリセットのドメイン名規則を前記ジャンプリンクが満足させると判断することと、
前記アプリケーションの前記ジャンプリンクの処理回数がプリセットの処理回数より少ないと判断することと、
前記ジャンプリンクに従ってアクセストリガコントロールを生成、表示することと、
を含むアクトを行わせる、前記１つまたは複数のメモリ。
【請求項１８】
前記アクトは、前記アクセストリガコントロールがトリガされたと判断した後、前記アプリケーションをトリガして前記ジャンプリンクに対応するページをロードすることをさらに含む、請求項１７に記載の１つまたは複数のメモリ。
【請求項１９】
前記アクセストリガコントロールがトリガされたという前記判断は、前記アクセストリガコントロールがクリックされたと判断することを含む、請求項１８に記載の１つまたは複数のメモリ。
【請求項２０】
前記アクトは、前記アクセストリガコントロールが表示された後、前記アプリケーションの前記ジャンプリンクの前記処理回数を更新することをさらに含む、請求項１７に記載の１つまたは複数のメモリ。
【発明の詳細な説明】
【技術分野】
【０００１】
本開示は、モバイルアプリケーションの技術分野に関し、より詳細には、アプリケーションページクイックアクセス方法と、このような方法を適用するモバイル端末に関する。
【背景技術】
【０００２】
関連出願の相互参照
本開示は、２０１５年５月１５日出願の中国特許出願番号第２０１５１０２５０７１８．０号「ＭＥＴＨＯＤ  ＡＮＤ  ＭＯＢＩＬＥ  ＴＥＲＭＩＮＡＬ  ＦＯＲ  ＡＰＰＬＩＣＡＴＩＯＮ  ＰＡＧＥ  ＱＵＩＣＫ  ＡＣＣＥＳＳ」の利益を主張し、参照により、その全体を本明細書に組み込む。
【０００３】
モバイル通信技術の発展と、携帯電話及びタブレットコンピュータ等のモバイル端末の人気により、様々なタイプのブラウザ、Ｔａｏｂａｏ（商標）Ａｐｐ、Ｗｅｉｂｏ（商標）Ａｐｐ等を含む、モバイル端末に適用されるアプリケーション（Ａｐｐ）が増えている。アプリケーションプロセスにおいて、アプリケーションＡのインタフェースで外部リンクをクリックする時、外部リンクに対応するページをアプリケーションＡに直接ロードするのと比較して、外部リンクに対応するページを外部リンクに対応するアプリケーションＢにロードする場合、ユーザは、外部リンクのページの関連する機能をより良く体験し得る。
【０００４】
従来の技術においては、情報インタラクションが、一般的に、異なるＡＰＰ間で利用されて、アプリケーションのページにクイックアクセスする。これは、具体的には、次のステップを含む。すなわち、元のＡｐｐ（上記アプリケーションＡに相当）において、クリックされた外部リンクのＵＲＬ（Ｕｎｉｆｏｒｍ  Ｒｅｓｏｕｒｃｅ  Ｌｏｃａｔｏｒ）を開くステップ、システムに記憶された各Ａｐｐ  ＩＤとＵＲＬスキームとのマッピング関係に従って、ＵＲＬに対応する目的のＡｐｐ（上記アプリケーションＢに対応)を検索するステップ、対応する目的のＡｐｐを見つけた場合、目的のＡｐｐを開始して、目的のＡｐｐの上記ＵＲＬに対応する目的のページをロードするステップ、及び、対応する目的のＡｐｐが見つからない場合、元のＡｐｐに構築されたウェブページ閲覧コントロールまたはウェブビューに目的のページを直接、ロードするステップを含み、上記プリセットのＵＲＬスキームは、対応するＡｐｐに対応するウェブサイトのドメイン名であってよく、目的のＡｐｐが、ＵＲＬのドメイン名部分に従って検索されてよい。
【０００５】
しかしながら、上記外部アクセス方法が実施され得る前提は、元のＡｐｐと目的のＡｐｐの間のインタラクションがスムーズなことである。元のＡｐｐが、目的のＡｐｐのＵＲＬリンクを隠している場合、または、他のＡＰＰに対応するＵＲＬの処理をプリセットのＵＲＬスキームを通して支援していない場合、元のＡｐｐと目的のＡｐｐの間のインタラクションはブロックされる。目的のページが、元のＡｐｐに構築されたウェブページ閲覧コントロールにロードされる場合、機能の一部が制限される。あるいは、目的のＡｐｐがユーザによって手動で開始され、目的のページが、検索等の操作を通して検索される場合、ページのアクセス効率は、大きく影響を受ける。
【発明の概要】
【０００６】
この発明の概要は、発明を実施するための形態において以下にさらに詳しく記載する概念の一部を簡単に紹介するものである。発明の概要は、特許を請求する主題の主な特徴または必須の特徴を全て明記することを意図してはおらず、また、特許を請求する主題の範囲を判断する助けとして単独で使用されることも意図していない。「技術（複数可）または技術的解決法（複数可）」という語は、例えば、上記内容によって、及び、本開示を通して認められるような装置（複数可）、システム（複数可）、方法（複数可）、及び／または、コンピュータ可読命令を指してよい。
【０００７】
従来技術の既存の課題を克服するために、本開示は、アプリケーションページクイックアクセス方法、及び、このような方法を適用するモバイル端末を提供する。
【０００８】
本開示の第１の態様は、アプリケーションページクイックアクセス方法を提供する。方法は、
システムのクリップボードコンテンツを読み取ることと、
プリセットフォーマットに従って、ジャンプリンクがクリップボードコンテンツに存在するか否かを判断することと、
ジャンプリンクがクリップボードコンテンツに存在すると判断された時、フォアグラウンドで実行するアプリケーションに対応するプリセットのドメイン名規則をジャンプリンクが満足させるか否かを判断することと、
ジャンプリンクがプリセットのドメイン名規則を満足させると判断された時、ユーザが、アクセストリガコントロールをクリックして、アプリケーションをトリガしてジャンプリンクに対応するページをロードするように、ジャンプリンクに従ってアクセストリガコントロールを生成、表示することと、
を含む。
【０００９】
第１の態様を参照して、第１の態様の第１の実現可能な実施態様において、クイックアクセス方法は、アクセストリガコントロールが表示された後、アプリケーションのジャンプリンクの処理回数を更新することをさらに含む。
【００１０】
第１の態様の第１の実現可能な実施態様を参照して、第１の態様の第１の実現可能な実施形態例において、クイックアクセス方法は、ジャンプリンクがクリップボードコンテンツに存在すると判断された時、アプリケーションのジャンプリンクの処理回数がプリセットの処理回数より少ないか否かを判断することをさらに含む。
【００１１】
ジャンプリンクがプリセットのドメイン名規則を満足させると判断された時、ジャンプリンクに従ってアクセストリガコントロールを生成、表示することは、ジャンプリンクがプリセットのドメイン名規則を満足させ、且つ、アプリケーションのジャンプリンクの処理回数がプリセットの処理回数より少ないと判断された時、ジャンプリンクに従って、アクセストリガコントロールを生成、表示することを含む。
【００１２】
第１の態様、または、第１の態様の第１の実現可能な実施態様、または、第１の態様の第２の実現可能な実施態様を参照して、第１の態様の第３の実現可能な実施態様において、ジャンプリンクに従って、アクセストリガコントロールを生成することは、
表示されたアクセストリガコントロールが存在するか否かを判断することと、
表示されたアクセストリガコントロールが存在する場合、表示されたアクセストリガコントロールに関連付けられたリンクをジャンプリンクとして修正して、ジャンプリンクに対応するアクセストリガコントロールを取得することと、
表示されたアクセストリガコントロールが存在しない場合、コントロールフォーマット規則を獲得し、コントロールフォーマット規則に従って、ジャンプリンクに対応するアクセストリガコントロールを生成することと、
を含む。
【００１３】
本開示の第２の態様は、モバイル端末を提供する。モバイル端末は、
システムのクリップボードコンテンツを読み取るクリップボード読み取りユニットと、
プリセットフォーマットに従って、ジャンプリンクがクリップボードコンテンツに存在するか否かを判断するフォーマットフィルタユニットと、
ジャンプリンクがクリップボードコンテンツに存在するとフォーマットフィルタユニットが判断する時、フォアグラウンドで実行するアプリケーションに対応するプリセットのドメイン名規則をジャンプリンクが満足させるか否かを判断するドメイン名フィルタユニットと、
ジャンプリンクがプリセットのドメイン名規則を満足させるとドメイン名フィルタユニットが判断する時、ユーザが、アクセストリガコントロールをクリックすることによって、アプリケーションをトリガしてジャンプリンクに対応するページをロードするように、ジャンプリンクに従って、アクセストリガコントロールを生成、表示するトリガコントロール表示ユニットと、
を含む。
【００１４】
第２の態様を参照して、第２の態様の第１の実現可能な実施態様において、モバイル端末は、トリガコントロール表示ユニットがアクセストリガコントロールを生成、表示した後、アプリケーションのジャンプリンクの処理回数を更新するカウンタユニットをさらに含む。
【００１５】
第２の態様の第１の実現可能な実施態様を参照して、第２の態様の第２の実現可能な実施態様において、モバイル端末は、ジャンプリンクがクリップボードコンテンツに存在するとフォーマットフィルタユニットが判断する時、アプリケーションのジャンプリンクの処理回数がプリセットの処理回数より少ないか否かを判断するジャンプ制限ユニットをさらに含む。
【００１６】
トリガコントロール表示ユニットは、例えば、ジャンプリンクがプリセットのドメイン名規則を満足させるとドメイン名フィルタユニットが判断し、且つ、アプリケーションのジャンプリンクの処理回数がプリセットの処理回数より少ないとジャンプ制限ユニットが判断する時、ジャンプリンクに従って、アクセストリガコントロールを生成、表示する。
【００１７】
第２の態様、または、第２の態様の第１の実現可能な実施態様、または、第２の態様の第２の実現可能な実施態様を参照して、第２の態様の第３の実現可能な実施態様において、ジャンプリンクに従ってアクセストリガコントロールを生成するために、トリガコントロール表示ユニットは、さらに、
表示されたアクセストリガコントロールが存在するか否かを判断し、表示されたアクセストリガコントロールが存在する場合、表示されたアクセストリガコントロールに関連付けられたリンクをジャンプリンクとして修正して、ジャンプリンクに対応するアクセストリガコントロールを取得し、表示されたアクセストリガコントロールが存在しない場合、コントロールフォーマット規則を獲得し、コントロールフォーマット規則に従って、ジャンプリンクに対応するアクセストリガコントロールを生成する。
【００１８】
上記技術的解決法から示されるように、本開示の実施形態例は、システムのクリップボードコンテンツに基づいて、アプリケーションページクイックアクセスを実施する。アプリケーションＡとアプリケーションＢの間にインタラクションバリアが存在し、且つ、Ａｐｐ間のインタラクションに基づいた現行の方法によっては高速アクセスが実施されない場合がある時、アプリケーションＢに対応するジャンプリンクが、アプリケーションＡのページに存在する場合、アプリケーションＡのページで選択操作、複製操作が行われて、上記ジャンプリンクを含むコンテンツがシステムのクリップボードに複製される。さらに、ユーザがアプリケーションＢを開始する時、この実施形態例の技術的解決法は、クリップボードコンテンツに対して抽出、分析を行って、ジャンプリンクを取得し、対応するアクセストリガコントロールを生成するように実行される。アクセストリガコントロールは、クイックアクセスポータルとして機能し、ユーザが、アクセストリガコントロールをクリックするだけで、表示ページからアプリケーションＢの目的のページにジャンプする。従って、アクセス効率が確保され、ユーザは、目的のページの関連する機能を全て体験することを保証される。
【００１９】
上記の一般的記載及び以下に記載の詳細は、単なる例であり、説明的なものに過ぎず、本開示を制限しないことは理解されたい。
【００２０】
図面は、明細書に組み込まれて、明細書の一部をなし、本開示の実施形態例を示し、明細書と共に使用されて、本開示の原理を示す。
【図面の簡単な説明】
【００２１】
【図１】本開示の実施形態例による、アプリケーションページへのクイックアクセス方法の例のフローチャートである。
【図２】本開示の実施形態例による、アプリケーションページへのクイックアクセス方法の別の例のフローチャートである。
【図３】本開示の実施形態例による、モバイル端末の例の構造図である。
【図４】本開示の実施形態例による、モバイル端末の別の例の構造図である。
【発明を実施するための形態】
【００２２】
実施形態例を、ここに詳細に記載し、図面で表現する。図面において、別段の指示の無い限り、異なる図面の同じ番号は、同じまたは類似の要素を示す。以下の実施形態例に記載の実施態様は、ほんの一例であり、本開示の実施態様の全てを表すものではない。むしろ、記載の実施態様は、請求項に詳細に記載する本開示の一部の態様の装置及び方法の一例に過ぎない。
【００２３】
本開示の実施形態例によるアプリケーションページクイックアクセス方法は、アプリケーションＡに表示され、アプリケーションＢに対応するリンクに従って、アプリケーションＢの対応する目的のページを素早くロードするのに使用され、インタラクションバリアが、アプリケーションＡとアプリケーションＢの間に存在する場合に特に適用可能である。
【００２４】
図１は、本開示の実施形態例による、アプリケーションページへのクイックアクセス方法の例を示すフローチャートである。図１に示すように、方法は、具体的には、次の操作を含む。
【００２５】
１０２において、システムのクリップボードコンテンツを読み取る。
【００２６】
１０４において、ジャンプリンクがクリップボードコンテンツに存在するか否かをプリセットフォーマットに従って判断し、ｙｅｓの場合、１０６の操作を行い、そうでない場合、このプロセスは終了する。
【００２７】
上記プリセットフォーマットを使用して、クリップボードコンテンツの役に立たない情報をフィルタリングして取り除き、ジャンプリンクを含むフィールドを見つける。プリセットフォーマットは、実際のニーズに合わせて柔軟に構成されてよい。例えば、プリセットフォーマットは、「Access: xxxxxxxhttp://xxxx.com」というフォーマットとして構成されてよい、すなわち、「Access: xxxxxxxhttp://xxxx.com」というコンテンツ片がクリップボードコンテンツに存在する時、ジャンプリンク（通常、目的のページに対応するＵＲＬである)が存在すると判断され、コンテンツ片の最後の文字列「http://xxxx.com」が切り取られてジャンプリンクを取得する。 
【００２８】
１０６において、ジャンプリンクがクリップボードコンテンツに存在すると判断された時、フォアグラウンドで実行するアプリケーションに対応するプリセットのドメイン名規則をジャンプリンクが満足させるか否かを判断する。ｙｅｓの場合、１０８の操作が行われ、そうでない場合、このプロセスは終了する。
【００２９】
フォアグラウンドで実行するアプリケーション、すなわち、ディスプレイウインドウでユーザとインタラクトしているアプリケーションは、ユーザによって開始された新しいアプリケーションであってよく、また、バックグラウンドでの実行からフォアグラウンドで実行するように目覚めさせられたアプリケーションであってよい。
【００３０】
フォアグラウンドの上記アプリケーションに対応する有効なドメイン名のコレクションが、プリセットのドメイン名規則に記録され、ジャンプリンクが、プリセットのドメイン名規則を満足させる場合のみ、すなわち、ジャンプリンクのドメイン名部分が、フォアグラウンドのアプリケーションに対応する合法のドメイン名のコレクションにある場合のみ、ジャンプリンクに対応するページが、そのアプリケーションのページに属する。Ｔａｏｂａｏ（商標）Ａｐｐは、例えば、「taobao.com.」のプリセットのドメイン名規則に対応する。従って、ジャンプリンクのドメイン名部分が「taobao.com」である場合のみ、それに続く操作をさらに行ってよい。
【００３１】
上記プリセットのドメイン名規則は、実際のアプリケーション要件に従って柔軟に設定されてもよい。具体的には、例えば、規則的表現を用いて表現されてよい。例えば、規則的表現は、プリセットのドメイン名規則の修正を行うようにチャネルを構成することによって、伝達、更新される。
【００３２】
１０８において、ジャンプリンクがプリセットのドメイン名規則を満足させると判断された時、ジャンプリンクに従って、アクセストリガコントロールが、生成、表示される。
【００３３】
アクセストリガコントロールが表示された後、ユーザは、アクセストリガコントロールをクリックすることによって、アプリケーションをトリガして、ジャンプリンクに対応する目的のページをロードしてよい。当然、ユーザが目的のページにアクセスしたくない場合、ユーザは、アクセストリガコントロールを直接、遮断してよい。アクセストリガコントロールをクリックした後、システムは、既存のＵＲＬ統一ナビゲーション機構に従ってジャンプリンクを取り扱ってよく、ジャンプリンクに対応するページにルーティングされて、ページを開いてよい。
【００３４】
この実施形態例においては、アクセストリガコントロールのパターンも、実際のアプリケーション要件に従って、柔軟に設定されてよい。例えば、ディスプレイインタフェースのテキストコンテンツが遮られるのを低減するために、この実施形態例のアクセストリガコントロールは、次のボタンのパターンで設定されてよい。すなわち、ボタンは、アプリケーションのツールバーの上部を占める、ボタンの高さは、ツールバーの高さと同じである、及び、ボタンの幅は、ディスプレイインタフェースの幅と同じである。
【００３５】
上記操作を考慮して、本開示の実施形態例は、システムのクリップボードコンテンツに基づいて、アプリケーションページクイックアクセスを実施する。すなわち、アプリケーションＡとアプリケーションＢの間にインタラクションバリアが存在し、且つ、Ａｐｐ間のインタラクションに基づいた現行の方法によって高速アクセスが実施されない場合がある時、アプリケーションＢに対応するジャンプリンクがアプリケーションＡのページにある場合、アプリケーションＡのページで選択操作、複製操作を行うことによって、上記ジャンプリンクを含むコンテンツが、システムのクリップボードに複製される。さらに、ユーザがアプリケーションＢを開始すると、この実施形態例による操作は、クリップボードコンテンツに対して抽出、分析を行って、ジャンプリンクを取得し、対応するアクセストリガコントロールが生成されるように実行される。アクセストリガコントロールは、クイックアクセスポータルとして機能し、ユーザが、アクセストリガコントロールをクリックするだけで、表示ページからアプリケーションＢの目的のページにジャンプする。従って、アクセス効率が確保され、ユーザは、目的のページの関連する機能を全て体験することを保証される。
【００３６】
本開示の１つの実現可能な実施形態例においては、上記クイックアクセス方法の対応する実施コードも、各アプリケーションで構築されてよく、アプリケーションがフォアグラウンドで実行している状態の時、上記操作が開始される。これは、Ａｐｐ開発者が、Ａｐｐ製品を改良し、ユーザ体験を向上させるために適用可能である。
【００３７】
本開示の別の実現可能な実施形態例においては、上記クイックアクセス方法の対応する実施コードは、モバイル端末のオペレーティングシステムで構築されてよく、オペレーティングシステムは上記操作を制御、実行する。オペレーティングシステムによって制御、実行される場合、必ずしもアプリケーションに関連付けられていない上記方法の操作（例えば、上記ステップ１０２、１０４）が、前もって行われてよく、そうすると、アプリケーションがフォアグラウンドで実行している状態の時、アプリケーションに関連付けられた以降の操作がさらに行われて、アクセス速度をさらに向上させる。
【００３８】
本開示の１つの実現可能な実施態様においては、ジャンプリンクに従ってアクセストリガコントロールを生成することは、
表示されたアクセストリガコントロールが存在するか否かを判断することと、
表示されたアクセストリガコントロールが存在する場合、表示されたアクセストリガコントロールに関連付けられたリンクが、ジャンプリンクとして修正されて、ジャンプリンクに対応するアクセストリガコントロールを取得することと、
表示されたアクセストリガコントロールが存在しない場合、コントロールフォーマット規則を獲得して、コントロールフォーマット規則に従ってジャンプリンクに対応するアクセストリガコントロールが生成されることと、
を含んでよい。
【００３９】
上記操作において記載したように、表示されたアクセストリガコントロールが存在しない場合、コントロールフォーマット規則を獲得して、コントロールフォーマット規則を満足させるアクセストリガコントロールを作成することが必要である。表示されたアクセストリガコントロールが存在する時、操作を簡単にするために、表示されたアクセストリガコントロールに基づいて、直接、修正が行われて、ジャンプリンクに対応するアクセストリガコントロールを取得してよい。例えば、表示されたアクセストリガコントロールに関連付けられたリンクは、ジャンプリンクとして修正される。
【００４０】
実際のアプリケーションにおいては、図１に示す実施形態例に基づいて、クリップボードコンテンツが更新されない場合、同じジャンプリンクが、何度も識別、表示される場合があり、その結果、ユーザは、同じページを何度も開いて、ユーザの時間が無駄になり、ユーザ体験を低下させる。これを考慮して、本開示の実施形態例は、図２に示すアプリケーションページクイックアクセス方法の例を提供する。図２を参照すると、方法は、次の操作を含む。
【００４１】
２０２において、システムのクリップボードコンテンツを読み取る。
【００４２】
２０４において、ジャンプリンクがクリップボードコンテンツに存在するか否かをプリセットフォーマットに従って判断し、ｙｅｓの場合、２０６の操作を行い、そうでない場合、このプロセスは終了する。
【００４３】
２０６において、フォアグラウンドで実行するアプリケーションに対応するプリセットのドメイン名規則をジャンプリンクが満足させるか否かを判断し、ｙｅｓの場合、２０８の操作を行い、そうでない場合、このプロセスは終了する。
【００４４】
２０８において、アプリケーションのジャンプリンクの処理回数がプリセットの処理回数より少ないか否かを判断し、ｙｅｓの場合、２１０の操作を行い、そうでない場合、このプロセスは終了する。
【００４５】
２１０において、ジャンプリンクがプリセットのドメイン名規則を満足させ、且つ、ジャンプリンクの対応する処理回数がプリセットの処理回数より少ないと判断された時、ジャンプリンクに従って、アクセストリガコントロールが生成、表示される。
【００４６】
２１２において、アプリケーションのジャンプリンクの処理回数を更新する。
【００４７】
本開示の実施形態例においては、ジャンプリンクの対応する処理回数の初期値は０で、対応するアクセストリガコントロールが一度表示される。ユーザがアクセストリガコントロールをクリックしても、オフにしても、対応する処理回数は、１増える。アクセス処理コントロールを生成、表示する前に、対応するアクセス処理コントロールを表示する回数が、記録された処理回数に従って判断されてよい。記録された処理回数がプリセットの処理回数を超える場合、コントロールは、生成、表示されなくなり、ユーザが同じページを何度も開く状況を回避する。一般に、上記プリセットの処理回数は、１に設定される。すなわち、同じジャンプリンクに対応するアクセストリガコントロールは、実際のアプリケーション要件を一度、満足させるために一度だけ表示される必要がある。
【００４８】
上記操作２０６におけるドメイン名判断操作と２０８における回数を判断する操作との実行の順序は、上記に限定されないことに留意されたい。例えば、２０８の操作は、２０６の操作の前に行われてよい。あるいは、２０６と２０８の操作は、同時に行われてよい。２つの判断の結果が両方ともｙｅｓになる（すなわち、ジャンプリンクが、プリセットのドメイン名規則を満足させ、ジャンプリンクに対応する処理回数がプリセットの処理回数より少ない）時のみ、２１０の操作が行われて、アクセストリガコントロールを生成する。
【００４９】
図３は、本開示の実施形態例による、モバイル端末３００の例の構造図である。図３を参照すると、モバイル端末３００は、１つまたは複数のプロセッサ３０２もしくはデータ処理ユニット（複数可）及びメモリ３０４を含む。モバイル端末３００は、１つまたは複数の入力／出力インタフェース（複数可）３０６、及び、ネットワークインタフェース（複数可）３０８をさらに含んでよい。メモリ３０４は、コンピュータ可読媒体の例である。
【００５０】
コンピュータ可読媒体は、情報を記憶する任意の方法または技術を使用し得る揮発性及び不揮発性、可動及び固定の媒体を含む。情報は、コンピュータ可読命令、データ構造、ソフトウェアモジュール、または、任意のデータであってよい。コンピュータ記憶媒体の例は、位相変化メモリ（ＰＣＭ）、スタティックランダムアクセスメモリ（ＳＲＡＭ）、ダイナミックランダムアクセスメモリ（ＤＲＡＭ）、他のタイプのＲＡＭ、ＲＯＭ、電気的消去可能プログラム可能リードオンリメモリ（ＥＥＰＲＯＭ）、フラッシュメモリ、内部メモリ、ＣＤ−ＲＯＭ、ＤＶＤ、光学メモリ、磁気テープ、磁気ディスク、任意の他の磁気記憶装置、または、コンピューティング装置によってアクセス可能な情報を記憶し得る任意の他の非通信媒体を含んでよいが、これらに限らない。本明細書の定義では、コンピュータ可読媒体は、変調データ信号及び搬送波等の一過性の媒体を含まない。
【００５１】
メモリ３０４は、クリップボード読み取りユニット３１０、フォーマットフィルタユニット３２０、ドメイン名フィルタユニット３３０、及び、トリガコントロール表示ユニット３４０を含む、複数のモジュールまたはユニットを記憶してよい。
【００５２】
クリップボード読み取りユニット３１０は、システムのクリップボードコンテンツを読み取る。
【００５３】
フォーマットフィルタユニット１２０は、プリセットフォーマットに従って、ジャンプリンクがクリップボードコンテンツに存在するか否かを判断する。従って、モバイル端末３００は、フォーマット管理ユニット（図３には示さず）をさらに含んでよく、フォーマット管理ユニットは、プリセットフォーマットを記憶し、記憶されたプリセットフォーマットの修正を可能にする。
【００５４】
ドメイン名フィルタユニット３３０は、ジャンプリンクがクリップボードコンテンツに存在するとフォーマットフィルタユニット３２０が判断する時、フォアグラウンドで実行するアプリケーションに対応するプリセットのドメイン名規則をジャンプリンクが満足させるか否かを判断する。従って、モバイル端末３００は、ドメイン名管理ユニット（図３には示さず）をさらに含んでよく、ドメイン名管理ユニットは、プリセットのドメイン名規則を記憶し、記憶されたプリセットのドメイン名規則の修正を可能にする。
【００５５】
トリガコントロール表示ユニット３４０は、ジャンプリンクがプリセットのドメイン名規則を満足させるとドメイン名フィルタユニット３３０が判断する時、ユーザが、アクセストリガコントロールをクリックすることによって、アプリケーションをトリガしてジャンプリンクに対応するページをロードするように、ジャンプリンクに従って、アクセストリガコントロールを生成、表示する。
【００５６】
上記構造を考慮すると、本開示の実施形態例は、システムのクリップボードコンテンツに基づいて、アプリケーションページクイックアクセスを実施する。すなわち、アプリケーションＡとアプリケーションＢの間にインタラクションバリアが存在し、且つ、Ａｐｐ間のインタラクションに基づいた現行の方法によって高速アクセスが実施されない場合がある時、アプリケーションＢに対応するジャンプリンクが、アプリケーションＡのページに存在する場合、アプリケーションＡのページで選択操作、複製操作を行うことによって、上記ジャンプリンクを含むコンテンツが、システムのクリップボードに複製される。さらに、ユーザがアプリケーションＢを開始する時、この実施形態例の操作は、クリップボードコンテンツに対して抽出、分析を行って、ジャンプリンクを取得し、対応するアクセストリガコントロールを生成するように実行される。アクセストリガコントロールは、クイックアクセスポータルとして機能し、ユーザが、アクセストリガコントロールをクリックするだけで、表示ページからアプリケーションＢの目的のページにジャンプする。従って、アクセス効率が確保され、ユーザは、目的のページの関連する機能を全て体験することを保証される。
【００５７】
本開示の１つの実現可能な実施形態例においては、ジャンプリンクに従ってアクセストリガコントロールを生成、表示するために、トリガコントロール表示ユニット３４０は、表示されたアクセストリガコントロールが存在するか否かを判断する。表示されたアクセストリガコントロールが存在する場合、表示されたアクセストリガコントロールに関連付けられたリンクは、ジャンプリンクとして修正されて、ジャンプリンクに対応するアクセストリガコントロールを取得する。表示されたアクセストリガコントロールが存在しない場合、コントロールフォーマット規則が獲得され、コントロールフォーマット規則に従って、ジャンプリンクに対応するアクセストリガコントロールが生成される。
【００５８】
図４は、本開示の実施形態例による、別のモバイル端末４００の構造図である。図４を参照すると、モバイル端末４００は、１つまたは複数のプロセッサ４０２もしくはデータ処理ユニット（複数可）、及び、メモリ４０４を含む。モバイル端末４００は、１つまたは複数の入力／出力インタフェース（複数可）４０６、及び、ネットワークインタフェース（複数可）４０８をさらに含んでよい。メモリ４０４は、コンピュータ可読媒体の例である。
【００５９】
メモリ４０４は、クリップボード読み取りユニット４１０、フォーマットフィルタユニット４２０、ドメイン名フィルタユニット４３０、ジャンプ制限ユニット４４０、トリガコントロール表示ユニット４５０、及び、カウンタユニット４６０を含む複数のモジュールまたはユニットを記憶してよい。
【００６０】
クリップボード読み取りユニット４１０は、システムのクリップボードコンテンツを読み取る。
【００６１】
フォーマットフィルタユニット４２０は、プリセットフォーマットに従って、ジャンプリンクがクリップボードコンテンツに存在するか否かを判断する。従って、モバイル端末４００は、フォーマット管理ユニット（図４には示さず）をさらに含んでよく、フォーマット管理ユニットは、プリセットフォーマットを記憶し、記憶されたプリセットフォーマットの修正を可能にする。
【００６２】
ドメイン名フィルタユニット４３０は、ジャンプリンクがクリップボードコンテンツに存在するとフォーマットフィルタユニット４２０が判断する時、フォアグラウンドで実行するアプリケーションに対応するプリセットのドメイン名規則をジャンプリンクが満足させるか否かを判断する。従って、モバイル端末４００は、ドメイン名管理ユニット（図４には示さず）をさらに含んでよく、ドメイン名管理ユニットは、プリセットのドメイン名規則を記憶し、記憶されたプリセットのドメイン名規則の修正を可能にする。
【００６３】
ジャンプ制限ユニット４４０は、ジャンプリンクがクリップボードコンテンツに存在するとフォーマットフィルタユニット４２０が判断する時、アプリケーションのジャンプリンクの処理回数がプリセットの処理回数より少ないか否かを判断する。
【００６４】
トリガコントロール表示ユニット４５０は、ジャンプリンクがプリセットのドメイン名規則を満足させるとドメイン名フィルタユニット４３０が判断し、且つ、アプリケーションのジャンプリンクの処理回数がプリセットの処理回数より少ないとジャンプ制限ユニット４４０が判断する時、ユーザが、アクセストリガコントロールをクリックすることによって、アプリケーションをトリガして、ジャンプリンクに対応するページをロードするように、ジャンプリンクに従って、アクセストリガコントロールを生成、表示する。
【００６５】
カウンタユニット４６０は、トリガコントロール表示ユニット４５０がアクセストリガコントロールを生成、表示した後、アプリケーションのジャンプリンクの処理回数を更新する。
【００６６】
上記を考慮して、図３に示す実施形態例と比較して、図４に示すモバイル端末４００は、トリガコントロール表示ユニット４５０及びカウンタユニット４６０を使用して、同じジャンプリンクに対応するアクセスコントロールページを表示する回数を制御することによって、ユーザが同じページを何度も繰り返し開くことを回避する。
【００６７】
上記実施形態例の装置に関して、各モジュールによる操作を実施する具体的な方法を、方法の実施形態の関連する例において詳細に記載したので、ここでは詳細には記載しない。
【００６８】
明細書を考慮し、明細書の開示内容を実施すると、当業者は、本開示の他の解決法の実施態様を容易に考え得る。本開示は、本開示の任意の修正、使用法、または、適応的変形を含むことを意図しており、このような修正、使用法、または、適応的変形は、本開示の一般的な原理に従い、本開示によって開示されていないこの技術分野の常識または一般的技術的解決法を含む。明細書及び上記実施形態は、ほんの一例であり、本開示の保護範囲は、次の請求項によって示されるものとする。
【００６９】
本開示の複数の実施形態例を、本開示に記載したが、本開示の実施形態例は互いに組み合わされてよいことを当業者は理解されたい。さらに、本開示の精神を逸脱することなく、様々な修正及び変形を本開示に行ってよく、添付の請求項は、本開示の精神を逸脱することなく、これらの修正及び変形を含むと意図していることを当業者は理解されよう。
【図１】
2018517206.tif 000003
【図２】
2018517206.tif 000004
【図３】
2018517206.tif 000005
【図４】
2018517206.tif 000006
【国際調査報告】
2018517206.tif 000007